(57)【要約】【課題】側方への無駄な出力光を抑えて前方のみへ強い光を送出することができるＬＥＤ電球を提供する。【解決手段】後面中心に口金４を設けるとともに前面にＬＥＤ発光体を設けた本体１と、当該本体１の前面を覆うカバー体２とを備えるＬＥＤ電球であって、カバー体２を、前方へ膨出する透光材料よりなる略一定厚の曲面体となし、当該曲面体の背面に後方へ向けて突出する円弧断面のレンズ部２１を、互いに間隔をおいて散点状に多数形成する。レンズ部２１の外形は球面とする。【選択図】    図１
0003169860.tif 000002
【実用新案登録請求の範囲】
【請求項１】
後面中心に口金を設けるとともに前面にＬＥＤ発光体を設けた本体と、当該本体の前面を覆うカバー体とを備えるＬＥＤ電球であって、前記カバー体を、前方へ膨出する透光材料よりなる略一定厚の曲面体となし、当該曲面体の背面に後方へ向けて突出する円弧断面のレンズ部を、互いに間隔をおいて散点状に多数形成したことを特徴とするＬＥＤ電球。
【請求項２】
前記レンズ部の外形を球面とした請求項１に記載のＬＥＤ電球。
【考案の詳細な説明】
【技術分野】
【０００１】
本考案はＬＥＤ（発光ダイオード）電球に関し、特に本体の後面中心に口金を設けるとともに前面にＬＥＤ発光体を設け、本体の前面を透光性のカバー体で覆った構造のＬＥＤ電球に関する。
【背景技術】
【０００２】
ＬＥＤ電球は従来の白熱電球と同じ口金を備え、白熱電球に代えてこれのソケットに容易に装着して省電力と長寿命という特性を発揮するものである。特許文献１にはこのようなＬＥＤ電球の、球状に前方へ突出するカバー体の背面に多数の凸部を互いに隙無く隣接させて形成して、ＬＥＤ電球から柔らかい光が出力されるようにしたものが開示されている。
【先行技術文献】
【特許文献】
【０００３】
【特許文献１】実用新案登録第３１５０９１４号公報
【考案の概要】
【考案が解決しようとする課題】
【０００４】
ここで、図６には特許文献１に記載された従来のＬＥＤ電球の、カバー体５の側部の部分拡大断面を示す。図より明らかなように、互いに隣接して形成された凸部５１がレンズとして機能して、内方のＬＥＤ発光体から発せられた光Ｌを、一部は反射するものの大部分はカバー体５外の側方へ収束光として出力する。このため、ＬＥＤ電球の前方のみならず側方へも満遍なく光が送出される。しかしこれは一方で、ＬＥＤ電球を街路灯に使用して前方直下のみに強い光を当てようとする場合等には無駄が多いという問題がある。
【０００５】
そこで、本考案はこのような課題を解決するもので、側方への無駄な出力光を抑えて前方のみへ強い光を送出することができるＬＥＤ電球を提供することを目的とする。
【課題を解決するための手段】
【０００６】
本考案では、後面中心に口金（４）を設けるとともに前面にＬＥＤ発光体（３）を設けた本体（１）と、当該本体（１）の前面を覆うカバー体（２）とを備えるＬＥＤ電球であって、前記カバー体（２）を、前方へ膨出する透光材料よりなる略一定厚の曲面体となし、当該曲面体の背面に後方へ向けて突出する円弧断面のレンズ部（２１）を、互いに間隔をおいて散点状に多数形成したことを特徴とする。前記レンズ部（２１）の外形は球面とすることができる。
【０００７】
本考案によれば、カバー体の頂部ではＬＥＤ発光体から出力された光が各レンズ部で集光されて前方へ射出されるとともに、隣り合うレンズ部の間のカバー体の一般部ではそのまま前方へ通過する。これにより、ＬＥＤ電球の前方へは十分強力な光が送出される。カバー体の側部では、ＬＥＤ発光体から出力された光がレンズ部では一部が集光されて側方へ射出されるものの一部は反射されて前方へ向かい、またレンズ部の間のカバー体の一般部では光が殆ど反射されて側方へ射出することなく前方へ向かう。この結果、ＬＥＤ電球の側方へ出力される光は抑えられて無駄な出光が無くなる一方、ＬＥＤ電球の前方へは大量の光が送出され、ＬＥＤ電球を街路灯に使用した場合には前方直下のみに強い光を当てることができる。
【０００８】
上記カッコ内の符号は、後述する実施形態に記載の具体的手段との対応関係を示すものである。
【考案の効果】
【０００９】
以上のように、本発明のＬＥＤ電球によれば、側方への無駄な出力光を抑えて前方のみへ強い光を送出することができる。
【図面の簡単な説明】
【００１０】
【図１】ＬＥＤ電球の全体側面図である。
【図２】ＬＥＤ電球を前方から見た正面図である。
【図３】カバー体を取り去った状態のＬＥＤ電球本体の正面図である。
【図４】カバー体頂部の拡大断面図で、図１のＡ部の断面図である。
【図５】カバー体側部の拡大断面図で、図１のＢ部の断面図である。
【図６】従来のＬＥＤ電球のカバー体側部の拡大断面図である。
【考案を実施するための形態】
【００１１】
図１にはＬＥＤ電球の全体側面図を示し、図２にはその正面図を示す。また、図３は図１のIII−III線に沿った断面図である。ＬＥＤ電球は正面前方（図１の上方）へ漸次拡径する略円錐状の本体１を備えており、本体１の小径の後面には図略のソケットに装着される口金４が設けられている。本体１の側面には全周に間隔をおいて板状の放熱フィン１１が多数設けられている。
【００１２】
本体１の大径の前面はカバー体２で覆われており、カバー体１は略半球状をなして前方へ膨出する曲面体となっている。カバー体１は略一定厚の透光性の樹脂材よりなり、その背面には全面に詳細を後述するレンズ部２１が互いに間隔をおいて散点状に多数形成されている。本実施形態ではレンズ部２１は互いに間隔をおいて、正面視（図２）で円形をなすカバー体２の背面全面の中心周りに同心状に形成されている。
【００１３】
カバー体２によって覆われた本体１の前面には、図３に示すように角型のＬＥＤ発光体３が、前面の形状に倣った円形のプリント配線板３１上のその中心周りに同心状に多数設けられている。プリント配線板３１は板面中心部の二箇所がビス３２によって本体１に固定されており、また本体１内に設けられた図略の整流器から至った一対の給電線３３が、プリント配線板３２上の給電端子３４にそれぞれ接続されている。各ＬＥＤ発光体３にはプリント配線板３２に印刷形成された図略の給電路によって電源が供給される。
【００１４】
図４にはＬＥＤ電球のカバー体２の頂部（図１のＡ部）の拡大断面図を示し、図５にはカバー体２の側部（図１のＢ部）の拡大断面図を示す。カバー体２の内側である背面には前述のようにレンズ部２１が形成されている。各レンズ部２１は略一定厚のカバー体２の背面に間隔をおいて形成されており、これらレンズ部２１は内方の後方へ向けてカバー体２の一部を円弧断面をなす球面に突出させたものである。
【００１５】
このようなレンズ部２１を形成したカバー体２の頂部では、図４の矢印で示すように、ＬＥＤ発光体３から出力されて下方から至った光Ｌが各レンズ部２１では集光されて前方（図４の上方）へ射出される。また、隣り合うレンズ部２１の間のカバー体２の一般部２２ではそのまま前方へ通過する。これにより、ＬＥＤ電球の前方へは十分強力な光が送出される。
【００１６】
一方、カバー体２の側部では、図５の矢印で示すように、ＬＥＤ発光体３から出力されて斜め下方から至った光Ｌがレンズ部２１では一部が集光されて側方へ射出されるものの一部は反射されて前方（図５の上方）へ向かい、またレンズ部２１の間のカバー体２の一般部２２では斜め下方から至った光Ｌが殆ど反射されて側方へ射出することなく前方へ向かう。この結果、ＬＥＤ電球の側方へ出力される光は抑えられて無駄な出光が無くなる一方、ＬＥＤ電球の前方へは大量の光が送出される。したがって、ＬＥＤ電球を街路灯等に使用した場合には前方直下のみに強い光を当てることができる。
【００１７】
上記実施形態において、カバー体の形状は半球状には限らず、前方へ膨出する形状であれば良い。また、レンズ部も円弧断面であれば外形は必ずしも球面である必要は無い。
【符号の説明】
【００１８】
１…本体、２…カバー体、２１…レンズ部、３…ＬＥＤ発光体、４…口金。
【図１】
0003169860.tif 000003
【図２】
0003169860.tif 000004
【図３】
0003169860.tif 000005
【図４】
0003169860.tif 000006
【図５】
0003169860.tif 000007
【図６】
0003169860.tif 000008